(57)【要約】【課題】製品情報部品の経年劣化、剥離、汚損などの不具合を防止するとともに、意匠性を向上させたブラインドを提供する。【解決手段】スクリーン２０の下端に配設されるウエイトバー２２端部のサイドキャップ２４内に収容部２４ａ−４が設けられ、収容部２４ａ−４内に製品情報を提示可能な製品情報部品３２が収容され、外部からの操作によって製品情報部品３２が露出可能となるようにした。【選択図】図３Ａ
2014206010.tif 000002
【特許請求の範囲】
【請求項１】
遮蔽材（２０）の下端に配設されるウエイトバー（２２）内またはウエイトバー端部のサイドキャップ（２４）内に収容部（２４ａ−４、２２ｃ）が設けられ、収容部内に製品情報を提示可能な製品情報部品（３２）が収容され、外部からの操作によって製品情報部品が露出可能となるようにしたことを特徴とするブラインド。
【請求項２】
ウエイトバーまたはサイドキャップに収容部に連通するスロット部（２４ｂ−３）が設けられ、製品情報部品がスロット部を介して収容部内に収容され、または取出されるようにしたことを特徴とする請求項１記載のブラインド。
【請求項３】
スロット部の入り口に凹部（２４ｂ−４）が形成され、製品情報部品の一部がスロット部の凹部に突出するように製品情報部品が収容部に収容されるようにしたことを特徴とする請求項２記載のブラインド。
【発明の詳細な説明】
【技術分野】
【０００１】
本発明は、製品に関わる製品情報を提示可能に構成された製品情報部品を備えたブラインドに関する。
【背景技術】
【０００２】
この種の従来のブラインドとしては、特許文献１に示されるものがあり、これによれば、製造者名、商品名、商標等の商品等表示を表示するブラインド用表示タグが、ブラインドのレール材または操作部等のブラインド部品に取り付けられている。ブラインド用表示タグは、商品等表示が付された１枚のシート状素材が折り返されたものからなり、折り返し側と反対側の端部がブラインド部品の所望の位置に固定可能となっている。このようにして折り返されたシート状素材によってブラインドの高級感を維持することができ、意匠性に優れたものとすることができるようになっている。
【０００３】
また、他の一般的なブラインドにおいては、ブラインドの製造日、型番、製品サイズ、または受注番号等を表示したメンテナンスシールがヘッドボックスやボトムレールに貼り付けられており、使用者がメーカーに対して製品に関する問い合わせや修理等を依頼する際に、メンテナンスシールに記載されている情報をもとに連絡を行うようになっている。
【先行技術文献】
【特許文献】
【０００４】
【特許文献１】特開２００５−１５６６８９号公報
【発明の概要】
【発明が解決しようとする課題】
【０００５】
しかしながら、上記特許文献１に示されるブラインド用表示タグや他の一般的なブラインドで用いられているメンテナンスシールは、常にブラインドの表面に露出された状態にあるため、長期にわたる使用によって経年劣化、剥離したり、表面が汚損されたりなどして、情報を読み取ることができなくなる可能性があるという問題がある。
【０００６】
また、メンテナンスシールは、ヘッドボックスの下面やボトムレールの背面などの普段見えにくい部分に貼り付けられているものの、意匠的な配慮はなされておらず、時としてブラインドの意匠性を損なうという問題がある。
【０００７】
本発明はかかる課題に鑑みなされたもので、製品情報部品の経年劣化、剥離、汚損などの不具合を防止するとともに、意匠性を向上させたブラインドを提供することをその目的とする。
【課題を解決するための手段】
【０００８】
前述した目的を達成するために、請求項１記載の発明は、遮蔽材の下端に配設されるウエイトバー内またはウエイトバー端部のサイドキャップ内に収容部が設けられ、収容部内に製品情報を提示可能な製品情報部品が収容され、外部からの操作によって製品情報部品が露出可能となるようにしたことを特徴とする。
【０００９】
請求項２記載の発明は、請求項１記載の発明において、ウエイトバーまたはサイドキャップに収容部に連通するスロット部が設けられ、製品情報部品がスロット部を介して収容部内に収容され、または取出されるようにしたことを特徴とする。
【００１０】
請求項３記載の発明は、請求項２記載の発明において、スロット部の入り口に凹部が形成され、製品情報部品の一部がスロット部の凹部に突出するように製品情報部品が収容部に収容されるようにしたことを特徴とする。
【発明の効果】
【００１１】
本発明によれば、ウエイトバーまたはウエイトバー端部のサイドキャップに設けられる収容部内に製品情報部品を収容し、必要な時だけ露出可能とする構成としたため、ブラインドの長期にわたる使用に対しても、経年劣化、剥離や表面の汚損などを防止することができる。
【００１２】
また、製品情報部品は必要な時以外はウエイトバー内またはサイドキャップ内に収容されているため、意匠性を向上させることができる。
【図面の簡単な説明】
【００１３】
【図１】巻取パイプ及びウエイトバーの内部の構造も表わした、本発明の第１の実施形態に係るブラインドの正面図である。
【図２Ａ】ウエイトバー端部の平面図であり、ウエイトバーの内部に挿入されたサイドキャップの挿入部も表わした図である。
【図２Ｂ】図２Ａ部分の側断面図である。
【図３Ａ】収容部を備えたサイドキャップとサイドキャップが取り付けられるウエイトバー端部の分解斜視図である。
【図３Ｂ】収容部を備えたサイドキャップをウエイトバーに取り付けた状態を示す斜視図である。
【図４Ａ】ウエイトバー端部の平面図であり、製品情報部品の露出及び収容の方法を説明する図である。
【図４Ｂ】図４Ａ部分の側断面図であり、製品情報部品の露出及び収容の方法を説明する図である。
【図５Ａ】第２の実施形態の収容部近傍を表す平面図であり、サイドキャップが一部水平断面で表されているとともに、ウエイトバーの内部構造も一部表わしたものである。
【図５Ｂ】図５Ａ部分の側断面図である。
【図５Ｃ】図５Ａ部分の側面図であり、ウエイトバーの内部も表わした図である。
【図６Ａ】図５Ａにおいて、製品情報部品の露出及び収容の方法を説明する図である。
【図６Ｂ】図５Ｂにおいて、製品情報部品の露出及び収容の方法を説明する図である。
【発明を実施するための形態】
【００１４】
以下、図面に基づいて本発明の実施の形態を説明する。
【００１５】
図１に示すように、ロールスクリーン（ブラインド）１０は、主に、ブラケット１２により窓枠等に固定されるセットフレーム１４に取り付けられる一対のサイドプレート１６と、一対のサイドプレート１６によって両端を回転可能に支持された巻取パイプ１８と、巻取パイプ１８に一端が連結され且つ巻取パイプ１８に巻取り、巻解き可能に吊り下げられるスクリーン２０と、スクリーン２０の下端に取り付けられたウエイトバー２２と、ウエイトバー２２の両端部に設けられるサイドキャップ２４と、スクリーン２０の下端に取り付けられた引き具２６とを備えている。
【００１６】
巻取パイプ１８内には、巻取パイプ１８と一体に回転して蓄勢され、巻取パイプ１８の巻取方向への回転が許容されると、巻取パイプ１８を巻取方向へと回転させるコイルスプリング２７と、巻取パイプ１８の回転をコイルスプリング２７の蓄勢力に抗して停止させて、スクリーン２０を所望の位置で停止させるストッパ装置２８と、スクリーン巻取り時に必要に応じて巻取パイプ１８のスクリーン巻取速度を減速するためのブレーキ３０と、が設けられる。
【００１７】
図２Ａないし図４Ｂに示すように、ウエイトバー２２は、上下端部が長手方向全長にわたって開口した略円筒形の形状を有しており、両端部は開口２２ａとなっている。ウエイトバー２２の内部は長手方向全長にわたって形成されている水平仕切り板２２ｂにより、内部空間が上下方向に２分割されている。上部空間２２ｃ内にはスクリーン２０の下端が連結されており、下部空間２２ｄ内には、サイドキャップ２４の後述する挿入部２４ａが挿入される。
【００１８】
サイドキャップ２４は、ウエイトバー２２の端部の開口２２ａを覆うカバー部２４ｂと、カバー部２４ｂの一方の面から軸方向に突出する前記挿入部２４ａとが一体的に成形されることにより構成される。
【００１９】
カバー部２４ｂは、ウエイトバー２２の端部の開口２２ａを覆う円盤状の円盤部２４ｂ−１と、円盤部２４ｂ−１の周縁部からウエイトバー２２の軸方向に突出し、ウエイトバー２２の端部外周面に嵌合可能な嵌合部２４ｂ−２とからなる。
【００２０】
一方、挿入部２４ａは、ウエイトバー２２の径方向寸法よりも小さい幅寸法であり、略平面状の上面２４ａ−１と、ウエイトバー２２の内周面に沿った形状の下面２４ａ−２と、を有した略逆蒲鉾形をなしている。これにより、挿入部２４ａが下部空間２２ｄに挿入された際に、上面２４ａ−１が水平仕切り板２２ｂの下面に当接するとともに、下面２４ａ−２がウエイトバー２２の下部内周面に沿った形状で当接して摩擦係合するため、挿入部２４ａがウエイトバー２２内で回転したり、上下左右動したりすることはない。
【００２１】
挿入部２４ａの上面２４ａ−１の先端付近は、先端部に向かうに従って下方に傾斜するテーパ部２４ａ−３が形成されており、このテーパ部２４ａ−３により、挿入部２４ａをウエイトバー２２の開口２２ａから下部空間２２ｄに挿入し易くなっている。
【００２２】
また、上面２４ａ−１には、軸方向に長辺が一致した長方形状の凹部より成る収容部２４ａ−４が設けられており、収容部２４ａ−４には、図３Ａ、図４Ａ及び図４Ｂに示すように、製品情報部品３２が収容される。製品情報部品３２は、例えば、製品情報を印刷、または他の方法により固着したカード型部品、製品情報を印刷したシートまたはフィルムを貼付したカード型部品、製品情報を印刷した紙シートを折畳んだもの等の任意の形態とすることができ、収容部２４ａ−４に嵌り合う形状で、且つ、収容部２４ａ−４の高さ寸法よりも低い高さ寸法を有するものとすることができる。これにより、挿入部２４ａをウエイトバー２２に挿入したり取り出したりする際に、製品情報部品３２が収容部２４ａ−４からずれたり、製品情報部品３２が水平仕切り板２２ｂに当接したりすることがない。
【００２３】
なお、製品情報としては、上記のように視認理解できる情報に限らず、例えば、一次元、二次元バーコード等のコード化情報であってもよく、または、電子化情報とし、製品情報部品を電子化情報を担持するＳＤカード、ＵＳＢメモリ、ＩＣカード、ＩＣタグ等の記憶装置とすることもできる。そして、製品情報を読み取る場合に、バーコードリーダ、コンピュータ、ＲＦＩＤリーダ等を用いるようにしてもよい。
【００２４】
また、製品情報部品３２に含める製品情報は、製造日、型番、製品サイズ、受注Ｎｏ．、製品に関する問い合わせ先、修理の依頼先、製品の使用方法、製品の手入れ方法等を例示することができるが、これらに限らず、様々なものが考えられる。例えば、製造時の情報を含めて製造時の管理に使用したり、お客様情報を入れて出荷時・搬送時の仕分け等に使用したりするようにしてもよい。
【００２５】
製品情報部品３２に含まれる製品情報を確認する際には、ウエイトバー２２に取付けられているサイドキャップ２４をウエイトバー２２の端部から引出し、図４Ａ及び図４Ｂに示すように、収容部２４ａ−４がウエイトバー２２から露出する程度に、挿入部２４ａをウエイトバー２２の下部空間２２ｄから引き出すか、または、図３Ａに示すように、ウエイトバー２２からサイドキャップ２４を完全に取外す。このようにして収容部２４ａ−４を露出させることにより、製品情報部品３２の製品情報を見ることができる。または、製品情報部品３２を収容部２４ａ−４から取り出して、コンピュータに装着して製品情報を見るようにしてもよい。または、任意のリーダで製品情報を読み取るようにしてもよい。または、ＲＦＩＤのように電波または電磁界結合を利用する場合には、サイドキャップ２４を引き出すことなく、情報を読み取ることができる。
【００２６】
情報を確認した後は、露出した収容部２４ａ−４に製品情報部品３２を収容し、挿入部２４ａをウエイトバー２２の開口２２ａから下部空間２２ｄに挿入し、図３Ｂに示すように、サイドキャップ２４の嵌合部２４ｂ−２をウエイトバー２２の端部外周面に嵌合させることにより、製品情報部品３２がウエイトバー２２に収容される。
【００２７】
このように、通常は製品情報部品３２をウエイトバー２２内に収容しておき、必要な時だけ製品情報部品３２を露出させることができるので、意匠性が向上するとともに、製品情報部品３２の経年劣化、剥離、汚損といった不具合を防止することができ、製品情報部品３２の保存を図ることができる。
【００２８】
次に、図５（Ａ〜Ｃ）及び図６（Ａ，Ｂ）に第２の実施形態によるブラインドを示す。第１の実施形態と同様・同一の部材には同一の符号を付して、その詳細説明を省略する。
【００２９】
この実施形態においては、サイドキャップ２４の挿入部２４ａの上面に収容部２４ａ−４を設ける代わりに、ウエイトバー２２の空間、この例では、上部空間２２ｃに収容部を設ける構成となっており、よって、テーパ部２４ａ−３を除く挿入部２４ａの上面全面をウエイトバー２２の水平仕切り板２２ｂに当接させる構成となっている。
【００３０】
そして、サイドキャップ２４の円盤部２４ｂ−１には、収容部である上部空間２２ｃに連通するようにしてスロット部２４ｂ−３が設けられる。スロット部２４ｂ−３は、サイドキャップ２４をウエイトバー２２に取付けた際に、図５Ｂ、図５Ｃ及び図６Ｂに示すように、ウエイトバー２２の水平仕切り板２２ｂの若干上方に、水平仕切り板２２ｂに対して平行に位置しており、図５Ａ及び図６Ａに示すように、円盤部２４ｂ−１の表面側の幅が最も広く、円盤部２４ｂ−１の裏面側の幅が狭くなっており、その途中位置で段部２４ｂ−５が形成されている。
【００３１】
図５Ｂ、図５Ｃ及び図６Ｂに示すように、円盤部２４ｂ−１の表面側には、スロット部２４ｂ−３の入り口の上下に跨り、略球面状の凹部２４ｂ−４が形成されており、スロット部２４ｂ−３は、凹部２４ｂ−４を横切っている。この凹部２４ｂ−４によって、スロット部２４ｂ−３から製品情報部品３２を抜き差しする際に、指を挿入しやすくなっている。
【００３２】
製品情報部品３２は、スロット部２４ｂ−３から出し入れ可能なようにカード状形状をしており、長手方向の一方の端部に他の部分の幅よりも大きな幅に構成された係止部３２ａが形成されている。係止部３２ａは、製品情報部品３２をスロット部２４ｂ−３からウエイトバー２２内に挿入した際に、サイドキャップ２４の段部２４ｂ−５に係止するようになっている。
【００３３】
製品情報部品３２に含まれる製品情報を確認する際には、凹部２４ｂ−４に手を入れて製品情報部品３２の係止部３２ａを持ってスロット部２４ｂ−３から引き出すことにより取り出すことができる。
【００３４】
また、製品情報部品３２をウエイトバー２２へ収容する際は、製品情報部品３２の係止部３２ａを持って他方の端部側からスロット部２４ｂ−３内に製品情報部品３２を挿入する。これにより、製品情報部品３２はウエイトバー２２の上部空間２２ｃに挿入されていき、製品情報部品３２の係止部３２ａがサイドキャップ２４の段部２４ｂ−５に係止されると、製品情報部品３２がウエイトバー２２に完全に収容される。
【００３５】
このように、通常は製品情報部品３２をウエイトバー２２内に収容しておき、必要な時だけ製品情報部品３２を露出させることができるので、意匠性が向上するとともに、製品情報部品３２の経年劣化、剥離、汚損といった不具合を防止することができる。
【００３６】
なお、ウエイトバー２２の一方の端部に設けるサイドキャップ２４に製品情報部品３２を収容可能な構成としてもよく、または、両端部とも同じ構成のサイドキャップ２４を設けるようにしてもよい。また、収容部には、製品情報部品３２を収容する他に、任意の物品を収容することができ、工具、予備部品、ユーザの所望の物品等を保存することができる。
【００３７】
また、上記実施の形態では、ロールスクリーン１０を例にとって説明したが、これに限定されず、プリーツスクリーン、ベネシャンブラインド、ローマンシェード等の任意のブラインドに適用することができることは言うまでもなく、その際に、任意のブラインドの下部に配設されるウエイトバーとしてのボトムレール内またはその端部に設けられるサイドキャップ内に収容部を設けることができる。
【符号の説明】
【００３８】
２０  スクリーン（遮蔽材）
２２  ウエイトバー
２２ｃ  上部空間（収容部）
２４  サイドキャップ
２４ａ−４  収容部
２４ｂ−３  スロット部
２４ｂ−４  凹部
３２  製品情報部品
【図１】
2014206010.tif 000003
【図２Ａ】
2014206010.tif 000004
【図２Ｂ】
2014206010.tif 000005
【図３Ａ】
2014206010.tif 000006
【図３Ｂ】
2014206010.tif 000007
【図４Ｂ】
2014206010.tif 000008
【図５Ａ】
2014206010.tif 000009
【図５Ｂ】
2014206010.tif 000010
【図５Ｃ】
2014206010.tif 000011
【図６Ａ】
2014206010.tif 000012
【図６Ｂ】
2014206010.tif 000013
【図４Ａ】
2014206010.tif 000014